(57)【特許請求の範囲】
【請求項１】
躯体上に配置されるフレームと、該フレーム上に載置される防水パンと、を備える浴室の床構造であって、
前記フレームは、少なくとも１つの桟と、該桟の上面に形成された被係合部と、を有し、
前記防水パンは、その裏面に格子状に交差するリブが設けられ、前記リブが交差する位置に、前記被係合部に係合する係合部を有する浴室の床構造。
【請求項２】
前記桟は、中空状に形成され、
前記被係合部は、前記桟の上面に形成された開口部で構成され、
前記係合部は、前記開口部に係合する爪状部材で構成される請求項１に記載の浴室の床構造。
【請求項３】
前記爪状部材は、前記防水パンの裏面に固定される基部と、該基部の下部から前記防水パンの裏面に沿って延びる係合爪と、を有し、
前記防水パンは、前記フレーム上に載置された状態で前記係合爪が延びる方向にスライド移動されることで、前記係合爪が前記開口部の開口縁に係合して前記フレームに固定される請求項２に記載の浴室の床構造。
【請求項４】
前記係合爪の延びる方向は、前記桟の延びる方向に一致している請求項３に記載の浴室の床構造。
【請求項５】
前記防水パンは、矩形状に形成され、その一側辺近傍に形成された排水口部を有し、
前記係合爪は、前記排水口部が形成された防水パンの一側辺側から、前記一側辺に対向する他側辺に向かって延びている請求項４に記載の浴室の床構造。
【請求項６】
前記桟は、前記フレームの外周部の下側に配置される請求項３から５いずれかに記載の浴室の床構造。
【請求項７】
前記係合爪は、
その延びる方向に直交する方向の一方側に前記基部に対してずれた位置に配置され且つ上下方向に所定の幅を有する板状部材で構成され、
その基端側に形成されて基端側ほど上方に傾斜する第１傾斜部と、
その下端側に形成されて下端側ほど他方側に傾斜する第２傾斜部と、を有する請求項３から６いずれかに記載の浴室の床構造。
【発明の詳細な説明】
【技術分野】
【０００１】
本発明は、浴室の床構造に関する。
【背景技術】
【０００２】
従来、躯体から所定の高さに調整されるフレーム上に防水パンが載置され、フレームに防水パンが固定される浴室の床構造が知られている。浴室の床構造においては、使用者の体重による防水パンの撓みの抑制のために、防水パンを裏側から補強する必要がある。ここで、防水パンを補強する技術としては、防水パンの裏側に複数本の支持脚を設ける構造（特許文献１参照）やフレームの中央付近に桟を設ける構造（特許文献２参照）が知られている。
【先行技術文献】
【特許文献】
【０００３】
【特許文献１】特開２０１４−９５２３号公報
【特許文献２】特開２００６−１６９８０５号公報
【発明の概要】
【発明が解決しようとする課題】
【０００４】
しかしながら、上記特許文献１に記載の構造では、現場において防水パンの裏面に複数の支持脚を取り付けた後、各支持脚の長さを調整しなければならず、作業の効率化にむけて、支持脚の数を減らしたいとの要望があった。
また、上記特許文献２に記載の構造では、防水パンと、桟との接触による音鳴りを防止するため、フレームの搬入に先駆けて防水パンの裏側と、桟とをボルトで締結するが、この場合、その後のフレーム搬入作業や、排水トラップ取付作業等において、防水パンが邪魔になり、施工作業全体の効率が悪い。
【０００５】
本発明は、上記課題に鑑みてなされたものであり、防水パンの強度を確保しつつ、作業効率が向上した浴室の床構造を提供することを目的とする。
【課題を解決するための手段】
【０００６】
上記目的を達成するため本発明は、躯体（例えば、後述する床スラブ１００）上に配置されるフレーム（例えば、後述するフレーム２０）と、該フレーム上に載置される防水パン（例えば、後述する防水パン３０）と、を備える浴室の床構造（例えば、後述する浴室の床構造１０）であって、前記フレームは、少なくとも１つの桟（例えば、後述する桟部２３）と、該桟の上面に形成された被係合部（例えば、後述する被係合部２５）と、を有し、前記防水パンは、その裏面に設けられ、前記被係合部に係合する係合部（例えば、後述する係合部３７）を有する浴室の床構造を提供する。
【０００７】
また、前記桟は、中空状に形成され、前記被係合部は、前記桟の上面に形成された開口部（例えば、後述する開口部２５Ａ，２５Ｂ）で構成され、前記係合部は、前記開口部に係合する爪状部材（例えば、後述する爪状部材３８Ａ，３８Ｂ）で構成されることが好ましい。
【０００８】
また、前記爪状部材は、前記防水パンの裏面（例えば、後述する裏面３５）に固定される基部（例えば、後述する基部３８１）と、該基部の下部から前記防水パンの裏面に沿って延びる係合爪（例えば、後述する係合爪３８２）と、を有し、前記防水パンは、前記フレーム上に載置された状態で前記係合爪が延びる方向にスライド移動されることで、前記係合爪が前記開口部の開口縁（例えば、後述する開口縁２５１）に係合して前記フレームに固定されることが好ましい。
【０００９】
また、前記防水パンは、矩形状に形成され、その一側辺近傍に形成された排水口部（例えば、後述する排水口部３２）を有し、前記係合爪は、前記排水口部が形成された防水パンの一側辺側から、前記一側辺に対向する他側辺に向かって延びていることが好ましい。
【００１０】
また、前記桟は、前記フレームの外周部（例えば、後述する外周部２１）の下側に配置されることが好ましい。
【００１１】
また、前記係合爪は、その延びる方向に直交する方向の一方側に前記基部に対してずれた位置に配置され且つ上下方向に所定の幅を有する板状部材（例えば、後述する板状部材３８３）で構成され、その基端側に形成されて基端側ほど上方に傾斜する第１傾斜部（例えば、後述する第１傾斜部３８５）と、その下端側に形成されて下端側ほど他方側に傾斜する第２傾斜部（例えば、後述する第２傾斜部３８６）と、を有することが好ましい。
【発明の効果】
【００１２】
本発明によれば、防水パンの強度を確保しつつ、作業効率が向上した浴室の床構造を提供できる。
【図面の簡単な説明】
【００１３】
【図１】本発明の一実施形態に係る浴室の平面図である。
【図２】本実施形態に係る浴室の床構造の分解斜視図である。
【図３Ａ】本実施形態に係る浴室の床構造が備えるフレームの平面図である。
【図３Ｂ】本実施形態に係る浴室の床構造が備えるフレームの側面図である。
【図３Ｃ】本実施形態に係る浴室の床構造が備えるフレームの斜視図である。
【図４】本実施形態に係る浴室の床構造が備える防水パンの底面図である。
【図５Ａ】本実施形態に係る浴室の床構造が備える爪状部材の側面図である。
【図５Ｂ】本実施形態に係る浴室の床構造が備える爪状部材の底面図である。
【図６】本実施形態に係る浴室の床構造が備える防水パンの設置作業について説明するための図である。
【図７Ａ】本実施形態に係る浴室の床構造の係合部を開口部に挿通する前の様子を説明するための図である。
【図７Ｂ】本実施形態に係る浴室の床構造の係合部を開口部に挿通した後の様子を説明するための図である。
【図７Ｃ】本実施形態に係る浴室の床構造の係合部と開口部との係合時の様子を説明するための図である。
【発明を実施するための形態】
【００１４】
以下、本発明の一実施形態について、図面を参照しながら詳しく説明する。
図１は、本実施形態に係る浴室１を示す平面図であり、図２は、本実施形態に係る浴室の床構造１０の斜視図である。
【００１５】
本実施形態の浴室の床構造１０（洗い場２）は、マンションや戸建て住宅の浴室１を構成する。浴室１は、洗い場２と、浴槽３と、カウンター４と、収納棚５と、鏡６と、水栓７と、シャワー部８と、ドア部９と、を有している。図１に示すように、浴槽３は洗い場２に隣接して設けられ、カウンター４、収納棚５、鏡６、水栓７、シャワー部８及びドア部９は、洗い場２の上部に設けられる。
【００１６】
図２に示すように、浴室の床構造１０は、フレーム２０と、防水パン３０と、排水トラップ４０と、を備えている。
【００１７】
フレーム２０は、フレーム２０の外周部２１に接続される桟部２３に設けられる支持脚部２２を調整することにより、躯体としての床スラブ１００上に配置される。また、防水パン３０の表面３１は洗い場２の床となっており、防水パン３０はフレーム２０上に載置されることで、防水パン３０はフレーム２０に支持される。防水パン３０の裏面３５は、フレーム２０の桟２３の上面に支持される。これにより、防水パン３０は桟２３により補強される。また、防水パン３０は、その裏面３５に係合部３７が設けられ、この係合部３７は桟部２３の上面に形成された被係合部２５に係合される。これにより、桟部２３と防水パン３０の裏面３５との間での音鳴りを防止すると共に、防水パン３０の設置作業を容易に行い得る。また、排水トラップ４０は、フレーム２０の取付部２４に取り付けられると共に、床スラブ１００とフレーム２０との隙間に設置される排水パイプ４４に接続される。排水トラップ４０の洗い場用流入口４１は、防水パン３０の排水口部３２に接続される。
【００１８】
以下、フレーム２０について、図３Ａ〜図３Ｃを参照しながら詳しく説明する。図３Ａは、本実施形態に係る浴室の床構造１０が備えるフレーム２０の平面図であり、図３Ｂは、本実施形態に係る浴室の床構造が備えるフレーム２０の側面図であり、図３Ｃは、本実施形態に係る浴室の床構造が備えるフレーム２０の斜視図である。
【００１９】
図３に示すように、フレーム２０は、外周部２１と、支持脚部２２と、桟部２３と、取付部２４と、被係合部２５と、を備えている。
【００２０】
外周部２１は、長方形状に形成されており、対向する一対の長辺梁２１Ａ，２１Ｂ及び対向する一対の短辺梁２１Ｃ，２１Ｄを有している。長辺梁２１Ａは浴槽３側に位置する。長辺梁２１Ａの長手方向における長辺梁２１Ａの中央部は、長辺梁２１Ａの側面部及び底面部により構成される取付部２４を構成しており、取付部２４には排水トラップ４０が取り付けられる。短辺梁２１Ｃの一端は、長辺梁２１Ａの一端（図３における長辺梁２１Ａの下端）に接続されており、短辺梁２１Ｃの他端は、長辺梁２１Ｂの一端（図３における長辺梁２１Ｂの下端）に接続されている。短辺梁２１Ｄの一端は、長辺梁２１Ａの他端（図３における長辺梁２１Ａの上端）に接続されており、短辺梁２１Ｄの他端は、長辺梁２１Ｂの他端（図３における長辺梁２１Ｂの上端）に接続されている。
【００２１】
桟部２３は、中空状に形成される３つの桟、即ち、第１桟２３Ａ、第２桟２３Ｂ及び第３桟２３Ｃを有している。第１桟２３Ａの一端は、短辺梁２１Ｃの下面（図３における短辺梁２１Ｃの下面）に接続されており、第１桟２３Ａの他端は、短辺梁２１Ｄの下面（図３における短辺梁２１Ｄの下面）に接続されている。また、第２桟２３Ｂ及び第３桟２３Ｃの一端は、それぞれ長辺梁２１Ａに設けられた支持脚２２Ａ、支持脚２２Ｂの側面に接続されており、第２桟２３Ｂ及び第３桟２３Ｃの他端はそれぞれ第１桟２３Ａの側面（図３における第１桟２３Ａの中間部）に接続されている。桟部２３は外周部２１に比べて一段下に設けられている。
【００２２】
支持脚部２２は、４つの支持脚２２Ａ〜２２Ｄを有しており、支持脚２２Ａ〜２２Ｄは、それぞれ高さ（長さ）調整機構を備えている。本実施形態では、図３に示すように、４本の支持脚２２Ａ〜２２Ｄを用いて、フレーム２０の高さ調整が行われる。４本の支持脚のうち、２本の支持脚２２Ａ，２２Ｂは、長辺梁２１Ａの下端に設置され、下方に向けて延び、また、残りの２本の支持脚２２Ｃ，２２Ｄは、第１桟２３Ａの下端に設置され、下方に向けて延びる。これら支持脚２２Ａ〜２２Ｄによる外周部２１の高さ調整が終わった後は、床スラブ１００上に載置され、接着剤等により床スラブ１００に固定される。
【００２３】
被係合部２５は、第２桟２３Ｂ及び第３桟２３Ｃの上面に形成される開口部２５Ａ，２５Ｂを有しており、後述する防水パン３０の係合部３７が挿通可能な穴により構成されている。係合部３７を開口部２５Ａ，２５Ｂに挿通した後に、前記防水パン３０をスライドすることにより、開口部２５Ａ，２５Ｂの開口縁２５１（図７Ｂ参照）が、上記係合部３７の先端と裏面３５の間に挟まれ、係合される。
【００２４】
また、排水トラップ４０は、上面に開口する洗い場用流入口４１と、上面に開口する浴槽用流入口４２と、浴槽側とは反対方向に開口する流出口４３と、を有する。洗い場用流入口４１は、防水パン３０の排水口部３２に接続され、浴槽用流入口４２は、浴槽３中の排水口３Ａ（図１参照）に接続される。流出口４３は排水パイプ４４に接続される。
【００２５】
以下、防水パン３０について、図４等を参照して説明する。図４は、本実施形態に係る浴室の床構造が備える防水パン３０の裏面３５の平面図である。
【００２６】
防水パン３０は全体として一枚の板状をなす。防水パン３０は、矩形状に形成され、洗い場２の領域全体をカバーする表面３１と、フレーム２０の外周部２１の内側の領域において所定方向にスライド可能な大きさで成形される裏面３５と、を備える。防水パン３０の周縁部はフレーム２０の外周部２１の全体に亘り載置され、外周部２１に固定される。
【００２７】
防水パン３０の外周近傍の表面３１には、裏面３５へ連通する貫通形態の円形の排水口部３２が形成される（図２参照）。表面３１は表面３１上の４つの隅から排水口部３２に向かって、それぞれ下り勾配で傾斜している。この排水口部３２は、防水パン３０の表面３１において最も低い位置にあり、排水口部３２の周辺には上面を浅く凹ませた形態の収容凹部３３が形成される。この収容凹部３３には、収容凹部３３の形状にほぼ整合し、取り外し可能な目皿が収容される。
【００２８】
図４に示す防水パン３０の裏面３５には、防水パン３０の表面３１に作用する負荷に対する剛性を高める手段として、防水パン３０と略直角に下方へ突出する複数のリブ３６が裏面３５全域に亘って形成されている。リブ３６は、裏面３５の各辺に沿って格子状に設けられる。リブ３６の突出高さは、周縁部と中央部とで異なる。具体的には該周縁部でのリブ３６の突出高さは低く、それに比べて、該中央部のリブ３６の突出高さは高い。該周縁部の突出高さと、該中央部の突出高さとの差によって形成される段差は、上記フレーム２０の外周部２１と、桟部２３によって形成される段差と一致する。そのため、該周縁部のリブ３６の下端が該外周部２１の上端に当接すると同時に、該中央部のリブ３６の下端は桟部２３の上面に当接して支持される。従って、防水パン３０はリブ３６を介して、桟部２３により補強される。よって、防水パン３０の補強のために、防水パン３０の裏面３５に対して支持脚を取り付ける必要が無い。
【００２９】
また、裏面３５のリブ３６の交差する位置には、係合部３７が取り付けられる。係合部３７は、後述する２つの爪状部材３８Ａ，３８Ｂを有しており、第２桟２３Ｂに設けられる開口部２５Ａには爪状部材３８Ａが係合し、第３桟２３Ｃに設けられる開口部２５Ｂには爪状部材３８Ｂが係合する。これにより、防水パン３０の裏面３５と桟部２３とが締結し、防水パン３０の裏面３５と、桟部２３との接触による音鳴りを抑制できる。
【００３０】
以下、上述の爪状部材３８Ａ，３８Ｂの構造について、図５を参照して説明する。図５Ａは、本実施形態に係る浴室の床構造１０が備える爪状部材３８Ａ，３８Ｂの側面図であり、図５Ｂは、本実施形態に係る浴室の床構造が備える爪状部材３８Ａ，３８Ｂの裏側の平面図である。
【００３１】
爪状部材３８Ａ，３８Ｂは、防水パン３０の裏面３５に固定される基部３８１と、基部３８１の下部から水平方向に延びる係合爪３８２と、を有する。
【００３２】
基部３８１には、互いに交差するリブ３６に取り付けるための足部３８１Ａが、４つ設けられている。なお、図５Ａにおいては、足部３８１Ａは、手前側の２つのみ現われており、奥側の２つの足部３８１Ａは、現われていない。この基部３８１の足部３８１Ａ間に、格子状の縦のリブ３６と横のリブ３６とが配置される。そして、係合爪３８２は、ボルト３８７によって基部３８１に固定され、爪状部材３８Ａ，３８Ｂは防水パン３０の裏面３５により強固に固定される。
【００３３】
係合爪３８２の延びる方向は、第２桟２３Ｂ、第３桟２３Ｃの延びる方向に一致している。防水パン３０は、フレーム２０上に載置された状態でこの係合爪３８２が延びる方向にスライドされることで、係合爪３８２が開口部２５Ａ，２５Ｂの開口縁２５１に係合してフレーム２０に固定される。
より具体的には、係合爪３８２の延びる方向は、排水口部３２が形成された防水パン３０の一側辺側から、該一側辺に対向する他側辺に向かって延びている。即ち、図１において、排水口部をまたいで浴槽とは反対側の方向（図１中、左から右）に延びている。
【００３４】
図５Ａに示すように係合爪３８２は、板状部材３８３と、先端部３８４と、第１傾斜部３８５と、第２傾斜部３８６と、を有する板状部材３８３を備えている。
【００３５】
図５Ｂに示すように係合爪３８２の板状部材３８３は、基部３８１に対して、係合爪３８２の延びる方向に直交する方向の一方側（図５Ｂに示す左側）にずれた位置に配置され、図５Ａに示すように、上下方向に所定の幅を有している。
【００３６】
先端部３８４は、係合爪３８２の延びる方向における板状部材３８３の先端部を構成しており、開口部２５Ａ，２５Ｂのそれぞれの開口縁２５１に係合する爪が形成される。
【００３７】
第１傾斜部３８５は、係合爪３８２の基端側に形成されて、基端側ほど上方に傾斜する。即ち、基端から下方へ離間した位置においては、第１傾斜部３８５は、鉛直方向に対して傾斜しているが、基端に近づく程、鉛直方向に近づき、ボルト３８７の頭部よりも上方の位置においては、鉛直方向に平行をなしている。第１傾斜部３８５は、開口部２５Ａ，２５Ｂに爪状部材３８Ａ，３８Ｂを挿通する際に、爪状部材３８Ａ，３８Ｂを開口部２５Ａ，２５Ｂに案内するガイドとして利用される。
具体的には、第１傾斜部３８５の下端部はそれぞれ開口部２５Ａ，２５Ｂの中心方向に傾斜しているため、爪状部材３８Ａ，３８Ｂをそれぞれ開口部２５Ａ，２５Ｂの上方から挿通させる際に、開口部２５，２５Ｂに、第１傾斜部３８５の一部が当ると、開口部２５，２５Ｂに対する第１傾斜部３８５の摺動により、防水パン３０の自重によって、爪状部材３８Ａ，３８Ｂがそれぞれ開口部２５Ａ，２５Ｂ内に滑り落ちる。これにより、爪状部材３８Ａ，３８Ｂは、それぞれ開口部２５Ａ，２５Ｂに挿通される。
【００３８】
第２傾斜部３８６は、防水パン３０の排水口部３２側から板状部材３８３の中央に向かうに従い、即ち、図１における左から右へ向かうに従い、下方に向って傾斜しており、下方側ほど図５Ｂに示す右方向へ傾斜する。この第２傾斜部３８６も、開口部２５Ａ，２５Ｂに爪状部材３８Ａ，３８Ｂを挿通する際のガイドとして利用される。
具体的には、爪状部材３８Ａ，３８Ｂをそれぞれ開口部２５Ａ，２５Ｂの上方から挿通させる際に、開口部２５に、第２傾斜部３８６の一部が当ると、第２傾斜部３８６と開口部２５との摺動により、防水パン３０の自重によって、爪状部材３８Ａ，３８Ｂはそれぞれ開口部２５Ａ，２５Ｂ内に滑り落ちる。これにより、爪状部材３８Ａ，３８Ｂを開口部２５Ａ，２５Ｂにそれぞれ挿通できる。
【００３９】
以下、本実施形態の浴室の床構造１０の施工工程について図６及び図７を用いて説明する。本実施形態に係る浴室の床構造１０の防水パン３０の設置作業についての説明するための図である。図６は、本実施形態に係る浴室の床構造１０の防水パン３０の設置作業についての説明するための図であり、図７Ａは、本実施形態に係る浴室の床構造１０の係合部３７を開口部２５Ａ，２５Ｂにそれぞれ挿通する前の様子を説明するための図であり、図７Ｂは、本実施形態に係る浴室の床構造１０の係合部３７を開口部２５Ａ，２５Ｂにそれぞれ挿通した後の様子を説明するための図であり、図７Ｃは、本実施形態に係る浴室の床構造１０の係合部３７とそれぞれの開口部２５Ａ，２５Ｂとの係合時の様子を説明するための図である。
【００４０】
第１施工工程では、床スラブ１００上にフレーム２０を固定する。具体的には、施工前の浴室１内にフレーム２０を搬入し、長辺梁２１Ｂ、短辺梁２１Ｃ，Ｄを浴室１の内壁に当接させた状態で床スラブ１００上に載置する。その後、長辺梁２１Ｂに設けられる支持脚２２Ａ，２２Ｂ、第２桟２３Ｂに設けられる支持脚２２Ｃ及び第３桟２３Ｃに設けられる支持脚２２Ｄの長さを調整することにより、外周部２１の上端を水平に調整する。フレーム２０の高さ調整後は、すべての支持脚部２２を床スラブ１００上に接着剤等により固定する。
従って、第１施工工程では、まずフレーム２０のみを浴室１内に設置する。
【００４１】
第２施工工程では、排水トラップ４０をフレーム２０に取付た後、排水パイプ４４を接続する。具体的には、排水トラップ４０を所定の向きに調整した後、上記フレーム２０の取付部２４に排水トラップ４０を取り付ける。次いで、排水パイプ４４を流出口４３に接続する。
従って、フレーム２０の上部が解放された領域となっているため、排水トラップ４０の取付作業や排水パイプ４４の接続作業が容易に行える。
【００４２】
第３施工工程では、防水パン３０の係合部３７を、桟部２３の開口部２５Ａ，２５Ｂに挿通する。具体的には、先ず、フレーム２０の短辺梁２１Ｃ，２１Ｄを、防水パン３０の裏面３５の嵌め込み時のガイドに利用して、防水パン３０の裏面３５を外周部２１で囲まれる領域内側に嵌めこむ。これにより、防水パン３０の係合部３７は、第２桟２３Ｂ及び第３桟２３Ｃの上端面に配置される。続いて、第２桟２３Ｂ及び第３桟２３Ｃの上端面上を、防水パン３０のスライド時のガイドとして利用して、防水パン３０を排水口部３２側から防水パン３０の中央方向、即ち、図６、図７Ａにおいて矢印で示す方向に向けてスライドさせる。これにより、係合部３７が桟部２３の開口部２５Ａ，２５Ｂの一端に差し掛かると、係合部３７に設けた第１傾斜部３８５及び第２傾斜部３８６の傾斜に従い係合部３７が滑り、係合部３７は開口部２５Ａ，２５Ｂに挿通される（図７Ｂ参照）。
従って、第３施工工程では、短辺梁２１Ｃ，２１Ｄを嵌めこみ作業のガイドに利用できる。また、第２桟２３Ｂ及び第３桟２３Ｃをスライド作業のガイドに利用できる。更に、係合部３７の第１傾斜部３８５（図５Ａ参照）及び第２傾斜部３８６を利用することで、挿通作業を一層簡単に行い得る。
【００４３】
第４施工工程では、係合部３７と開口部２５の端部を係合する。具体的には、図７Ｂ及び図７Ｃに示すように、係合部３７を開口部２５に挿通した状態のまま、上記防水パン３０を、排水口部３２側とは反対の方向（図７Ｂにおいて矢印で示す方向）にスライドさせる。これにより、開口部２５Ａ，２５Ｂの端部が係合部３７の先端部３８４と基部３８１（即ち、防水パン３０の裏面３５）の間に把持され、桟部２３と、防水パン３０の裏面３５と、は締結される。
従って、防水パン３０の裏面３５は桟部２３に支持されると共により補強されるため、本実施形態では補強のためだけに防水パン３０の裏面３５に支持脚部２２を取り付ける必要はない。また、本発明は、桟２３と防水パン３０の裏面３５とを係合するため、桟２３と防水パン３０による音鳴りを抑制できる。
【００４４】
本実施形態によれば、以下の効果が奏される。
本実施形態では、躯体である床スラブ１００上に配置されるフレーム２０と、該フレーム上に載置される防水パン３０と、を備える浴室の床構造１０において、フレーム２０は、少なくとも１つの桟である桟部２３と、該桟の上面に形成された被係合部と、を有する。防水パン３０は、その裏面３５に設けられ、開口部２５Ａ，２５Ｂに係合する係合部３７を有する。
【００４５】
これにより、フレーム２０上に載置される防水パン３０の裏面３５は、フレーム２０の桟部２３に係合し、防水パン３０の表面３１は桟部２３により補強され、防水パン３０の強度を確保できる。また、防水パン３０は係合部をスライドさせるだけで係合できるため、作業効率を向上できる。また、桟部２３と、防水パン３０の裏面３５との接触による音鳴りの防止も可能である。
【００４６】
また、本実施形態によれば、桟部２３は、中空状に形成され、被係合部は、桟部２３の上面に形成された開口部２５Ａ，２５Ｂで構成され、係合部３７は、開口部２５Ａ，２５Ｂに係合する爪状部材３８Ａ，３８Ｂで構成されることとした。
これにより、爪状部材３８Ａ，３８Ｂを桟部２３の開口部２５Ａ，２５Ｂから桟部２３内に挿通することで、その開口部２５Ａ，２５Ｂと、爪状部材３８Ａ，３８Ｂと、をそれぞれ係合できる。その結果、フレーム２０及び防水パン３０の係合をより容易に行うことができ、施工作業を効率的なものにできる。
【００４７】
また、本実施形態によれば、爪状部材３８Ａ，３８Ｂは、防水パン３０の裏面に固定される基部３８１と、この基部３８１の下部から防水パン３０の裏面に沿って延びる係合爪３８２と、を有し、防水パン３０は、フレーム２０上に載置された状態で係合爪３８２が延びる方向にスライド移動されることで、係合爪３８２が開口部２５Ａ，２５Ｂの開口縁２５１に係合してフレーム２０に固定される構成とした。
これにより、防水パン３０を係合爪３８２の延びる方向にスライドすることで、爪状部材３８Ａ，３８Ｂによる開口部２５Ａ，２５Ｂの係合が具体的に行なわれる。その結果、浴室の床構造の施工作業を効率的なものにできる。
【００４８】
また、本実施形態によれば、係合爪３８２の延びる方向は、桟部２３の延びる方向に一致させる構成とした。
これにより、係合爪３８２の延びる向きと、桟部２３の延出方向とを一致させた状態で、防水パン３０を係合爪３８２の延びる方向にスライドさせることで、係合部３７を被係合部に挿通させ、係合することができる。その結果、桟部２３の上端部を係合爪３８２のスライドガイドに利用できる。その結果、浴室の床構造の施工作業を効率的なものにできる。
【００４９】
また、本実施形態によれば、防水パン３０は、矩形状に形成され、その一側辺近傍に形成された排水口部３２を有し、係合爪３８２は、排水口部３２が形成された防水パン３０の一側辺側から、該一側辺に対向する他側辺に向かって延びている構成とした。
これにより、係合爪３８２の延びる方向が防水パン３０をスライドさせる方向に一致し、防水パン３０を排水口部３２側からその中央に向かってスライドさせることにより、係合部３７と被係合部の係合が可能となる。このスライドは、浴槽が浴室に施工される前に行なわれるため、浴槽が配置される前における浴槽のスペースから防水パン３０をスライドさせることができ、浴室の床構造の施工作業を効率的なものにできる。
【００５０】
また、本実施形態によれば、桟部２３は、フレーム２０の外周部２１の下側に配置される構成とした。
これにより、フレーム２０の外周部２１（短辺梁２１Ｃ，２１Ｄ）の内側を防水パン３０の裏面３５の嵌め込み時や防水パン３０のスライド時のガイドに利用することができ、浴室の床構造の施工作業を効率的なものにできる。
【００５１】
また、本実施形態によれば、係合爪３８２は、その延びる方向に直交する方向の一方側に基部に対してずれた位置に配置され且つ上下方向に所定の幅を有する板状部材３８３で構成され、その基端側に形成されて基端側ほど上方に傾斜する第１傾斜部３８５と、その下端側に形成されて下端側ほど他方側に傾斜する第２傾斜部３８６と、を有する構成とした。
これにより、第１傾斜部３８５の傾斜及び第２傾斜部３８６傾斜を、それぞれ係合部３７を開口部２５Ａ，２５Ｂに挿通する際のガイドに利用できるため、防水パン３０をスライドさせるだけで係合部３７と被係合部との係合が容易に可能となり、浴室の床構造の施工作業を効率的なものにできる。
【００５２】
なお、本発明は上記実施形態に限定されるものではなく、本発明の目的を達成できる範囲での変形、改良等は本発明に含まれる。
本実施形態では支持脚部２２の数を４本で説明したが、別段これに限られず、３本以上であれば、その数を適宣変更できる。
また、桟部２３を３つの桟（第１桟２３Ａ、第２桟２３Ｂ及び第３桟２３Ｃ）からなる構成を説明したが、例えば、洗い場２の領域が小さい場合、第１桟２３Ａを不要であり、第２桟２３Ｂ及び第３桟２３Ｃの他端を、長辺梁２１Ｂの下端まで伸ばして接続してもよい。また、フレーム２０の中央付近において、長辺梁２１Ａ，２１Ｂにそれぞれ接続される１つの桟を設ける構成としてもよい。
【符号の説明】
【００５３】
１…浴室
２…洗い場
３…浴槽
１０…浴室の床構造
２０…フレーム
２１…外周部
２１Ａ，２１Ｂ…長辺梁
２１Ｃ，２１Ｄ…短辺梁
２２…支持脚部
２３…桟部（桟）
２４…取付部
２５…被係合部
２５Ａ，２５Ｂ…開口部
２５１…開口縁
３０…防水パン
３１…表面
３２…排水口部
３５…裏面
３７…係合部
３８Ａ，３８Ｂ…爪状部材
３８１…基部
３８２…係合爪
３８３…板状部材
３８５…第１傾斜部
３８６…第２傾斜部
４０…排水トラップ
１００…床スラブ（躯体）
【図１】
0006763662.tif 000002
【図２】
0006763662.tif 000003
【図３Ａ】
0006763662.tif 000004
【図３Ｂ】
0006763662.tif 000005
【図３Ｃ】
0006763662.tif 000006
【図４】
0006763662.tif 000007
【図５Ａ】
0006763662.tif 000008
【図５Ｂ】
0006763662.tif 000009
【図６】
0006763662.tif 000010
【図７Ａ】
0006763662.tif 000011
【図７Ｂ】
0006763662.tif 000012
【図７Ｃ】
0006763662.tif 000013